(57)【特許請求の範囲】
【請求項１】
複数の処理対象領域と前記処理対象領域間に形成された切断領域とを備え、前記処理対象領域と前記切断領域との配置パターンが互いに異なる第一基板と第二基板とを処理するための基板の処理装置であって、
鉛直方向に延びる回転軸と、前記回転軸と直交して水平方向に延在する延在部と、前記延在部から上方に突出し、前記切断領域を支持する１つのピンとを備える複数の支持機構と、
複数の前記支持機構各々の前記回転軸を回転し、前記ピンの位置調整を行う調整機構と、
処理対象となる基板が前記第一基板であるか前記第二基板であるかを示す基板識別情報を受け付ける受付部と、
複数の前記支持機構各々の前記回転軸の基準位置からの回転角度と前記第一基板であることを示す基板識別情報とを対応付けて記憶するとともに、複数の前記支持機構各々の前記回転軸の基準位置からの回転角度と前記第二基板であることを示す基板識別情報とを対応付けて記憶する記憶部と、
前記受付部が受け付けた前記基板識別情報に対応する複数の前記支持機構各々の前記回転軸の基準位置からの回転角度を前記記憶部から読み出し、前記調整機構を駆動制御して、複数の前記支持機構各々の前記回転軸の基準位置からの回転角度を前記記憶部から読み出した回転角度とすることで、前記切断領域を支持するとともに、前記処理対象領域を支持しないように前記ピンの位置調整を行う制御手段とを備える基板の処理装置。
【請求項２】
請求項１に記載の基板の処理装置において、
前記支持機構は、前記延在部の前記回転軸との交点から前記ピンが設けられた部分までの長さが互いに異なる第一支持機構と第二支持機構とを備える基板の処理装置。
【請求項３】
請求項１または２に記載の基板の処理装置において、
前記調整機構は、前記回転軸を回転駆動するためのモータを含んで構成される基板の処理装置。
【請求項４】
請求項１乃至３のいずれかに記載の基板の処理装置において、
当該処理装置は、前記基板を熱処理するための熱板を有し、
前記熱板は、処理対象となる基板の下方に配置される基板の処理装置。
【請求項５】
請求項１乃至４のいずれかに記載の基板の処理装置において、
複数の前記ピンは、処理対象となる基板の前記切断領域を支持するものであり、
複数の前記ピンとは異なり、処理対象となる基板の前記処理対象領域外の前記基板の周縁部を支持するとともに、水平方向および高さ方向における配置位置が固定された固定ピンを有する基板の処理装置。
【請求項６】
請求項１乃至５のいずれかに記載の基板の処理装置において、
当該処理装置は、画像表示装置に使用される基板を処理するものであり、
前記処理対象領域は画面領域である基板の処理装置。
【発明の詳細な説明】
【技術分野】
【０００１】
本発明は、基板の処理装置に関する。
【背景技術】
【０００２】
従来、ガラス基板等に対し、熱処理等の処理を行なう際、ピンによりガラス基板等の基板を支持する装置が使用されている。たとえば、特許文献１、２には、相違するタイミングで上下方向に駆動する複数の可動ピンにより、基板等を支持する処理装置が開示されている。
【先行技術文献】
【特許文献】
【０００３】
【特許文献１】特開２００９−９４１８２号公報
【特許文献２】特開２０１０−２４５２０５号公報
【発明の概要】
【発明が解決しようとする課題】
【０００４】
特許文献１，２に開示された処理装置においては、相違するタイミングで上下に駆動する可動ピンを有するため、基板の同一箇所を同一のピンで支持しつづけてしまうことが防止されている。このように特許文献１，２に開示された処理装置においては、基板に対するピンの支持の影響が低減されている。しかしながら、ピンと接触した部分は、わずかながらではあるが、ピンの支持による影響を受けている可能性がある。
【課題を解決するための手段】
【０００５】
一枚の基板に対し、熱処理等の処理を施した後、前記基板を切断して個片化することがある。この場合、前記基板には、切断領域および処理対象領域があらかじめ設定されている。処理対象領域は製品に組み込まれ使用される重要な領域であるため、ピンによる支持の影響を受けないことが好ましい。一方で、切断領域は製品に組み込まれる前段で、切断されてしまう領域である。そのため、本発明者は、切断領域をピン等の支持部で支持すればよいと考えた。
そして、本発明者は、異なる切断領域、処理対象領域の配置パターンを有する複数の基板に対応できるような処理装置を発案した。
【０００６】
すなわち、本発明によれば、
複数の処理対象領域と前記処理対象領域間に形成された切断領域とを備え、前記処理対象領域と前記切断領域との配置パターンが互いに異なる第一基板と第二基板とを処理するための基板の処理装置であって、
鉛直方向に延びる回転軸と、この回転軸と直交して水平方向に延在する延在部と、延在部から上方に突出し、前記切断領域を支持する１つのピンとを備える複数の支持機構と、
複数の前記支持機構各々の前記回転軸を回転し、前記ピンの位置調整を行う調整機構と、
処理対象となる基板が前記第一基板であるか前記第二基板であるかを示す基板識別情報を受け付ける受付部と、
複数の前記支持機構各々の前記回転軸の基準位置からの回転角度と第一基板であることを示す基板識別情報とを対応付けて記憶するとともに、複数の前記支持機構各々の前記回転軸の基準位置からの回転角度と第二基板であることを示す基板識別情報とを対応付けて記憶する記憶部と、
前記受付部が受け付けた前記基板識別情報に対応する複数の前記支持機構各々の前記回転軸の基準位置からの回転角度を前記記憶部から読み出し、前記調整機構を駆動制御して、複数の前記支持機構各々の前記回転軸の基準位置からの回転角度を前記記憶部から読み出した回転角度とすることで、前記切断領域を支持するとともに、前記処理対象領域を支持しないように前記ピンの位置調整を行う制御手段とを備える基板の処理装置が提供される。
【０００７】
この処理装置は、第一基板の切断領域の配置パターンに応じた支持部の配置に関する情報と第一基板であることを示す基板識別情報とを対応付けて記憶するとともに、第二基板の切断領域の配置パターンに応じた支持部の配置に関する情報と第二基板であることを示す基板識別情報とを対応付けて記憶する記憶部を有している。そして、制御手段により、受付部が受け付けた基板識別情報に対応する支持部の配置に関する情報を記憶部から読み出す。制御手段は、読み出した支持部の配置に関する情報に基づいて、調整機構を駆動制御して、切断領域を支持するとともに、前記処理対象領域を支持しないように支持部の配置位置を調整する。
これにより、処理対象領域と切断領域との配置パターンが互いに異なる第一基板と第二基板とに対応することができ、配置パターンが異なる基板であっても、切断領域を支持部で支持し、処理することができる。
すなわち、本発明の処理装置では、第一基板、第二基板のいずれの基板においても、処理対象領域が支持部による支持の影響をうけてしまうことが防止される。そして、第一基板、第二基板のいずれをも処理することができるので、基板の処理効率を向上させることができる。
【発明の効果】
【０００８】
本発明によれば、処理対象領域への支持部による支持の影響を低減することができ、かつ、切断領域の配置パターンが異なる複数の基板を処理する技術が提供できる。
【図面の簡単な説明】
【０００９】
【図１】本発明の一実施形態にかかる処理装置を示す側面図である。
【図２】（Ａ）は、処理装置の平面図であり、（Ｂ）は（Ａ）のＢ−Ｂ方向の断面図である。
【図３】処理装置のブロック図である。
【図４】フォークにより基板をピン上に配置する状態を示す平面図である。
【図５】基板およびピンの配置を示す図である。
【図６】基板およびピンの配置を示す図である。
【図７】基板およびピンの配置を示す図である。
【図８】基板およびピンの配置を示す図である。
【図９】基板およびピンの配置を示す図である。
【図１０】本発明の変形例にかかるテーブルを示す図である。
【図１１】（Ａ）は、本発明の変形例にかかる処理装置を示す側面図である。（Ｂ）は変形例にかかるテーブルを示す図である。
【図１２】（Ａ）は、本発明の変形例にかかる処理装置を示す側面図である。（Ｂ）は、変形例にかかる処理装置を示す平面図である。
【図１３】（Ａ）は、本発明の変形例にかかる処理装置を示す側面図である。（Ｂ）は、変形例にかかる処理装置を示す平面図である。
【発明を実施するための形態】
【００１０】
以下、本発明の実施形態を図面に基づいて説明する。なお、すべての図面において、同様な構成要素には同一符号を付し、その詳細な説明は重複しないように適宜省略される。
図１〜図９を参照して、本実施形態について説明する。
はじめに、本実施形態の処理装置１の概要について説明する。
処理装置１は、複数の処理対象領域ａと処理対象領域ａ間に形成された切断領域ｂとを備え、処理対象領域ａと切断領域ｂとの配置パターンが互いに異なる第一基板Ａ１〜第五基板Ａ５（図５〜９参照）を処理するための基板の処理装置である。
【００１１】
第一基板Ａ１〜第五基板Ａ５は、切断領域ｂに沿って切断され、処理対象領域ａが画像表示装置の画面領域（表示部）となる。第一基板Ａ１〜第五基板Ａ５は、たとえば、ガラス基板であり、処理装置１は、基板上に塗布された塗膜を熱処理する熱処理装置である。より具体的には、ヒータ１７からのふく射伝熱と処理装置１内を流れる風からの対流伝熱の組合せで、揮発物(有機溶剤など)を排気しながら塗膜を乾燥させる装置である。
【００１２】
第一基板Ａ１は、図５に示すものである。Ｙ軸方向に沿った並びを列、Ｘ軸方向に沿った並びを行とすると、処理対象領域ａが２行×３列で配置されており、処理対象領域ａ間が切断領域ｂとなっている。切断領域ｂは格子状に配置されている。
第二基板Ａ２は、図６に示すものである。Ｙ軸方向に沿った並びを列、Ｘ軸方向に沿った並びを行とすると、処理対象領域ａが４行×２列で配置されており、処理対象領域ａ間が切断領域ｂとなっている。
第三基板Ａ３は、図７に示すものである。Ｙ軸方向に沿った並びを列、Ｘ軸方向に沿った並びを行とすると、処理対象領域ａが４行×２列で配置されており、処理対象領域ａ間が切断領域ｂとなっている。ただし、処理対象領域ａおよび切断領域ｂのＸ軸方向およびＹ軸方向の長さが、第二基板Ａ２の処理対象領域ａおよび切断領域ｂとは異なっている。従って、第三基板Ａ３は第二基板Ａ２とは、処理対象領域ａと切断領域ｂの配置パターンが異なったものとなっている。
第四基板Ａ４は、図８に示すものである。Ｙ軸方向に沿った並びを列、Ｘ軸方向に沿った並びを行とすると、処理対象領域ａが３行×４列で配置されており、処理対象領域ａ間が切断領域ｂとなっている。
第五基板Ａ５は、図９に示すものである。Ｙ軸方向に沿った並びを列、Ｘ軸方向に沿った並びを行とすると、処理対象領域ａが４行×６列で配置されており、処理対象領域ａ間が切断領域ｂとなっている。
なお、本実施形態の処理装置１は、処理対象領域ａと切断領域ｂとの配置パターンが互いに異なる複数の基板を処理する装置であればよいが、一の基板を処理した後、他の基板を処理する際には、支持部１５３を駆動させて配置位置を調整する必要があることが好ましく、たとえば、処理対象領域の列数あるいは行数が互いに異なる基板を処理するものであることが好ましい。
【００１３】
図１〜４に示すように、処理装置１は、第一基板Ａ１〜第五基板Ａ５のうち、処理対象となる基板の切断領域ｂを支持する複数の支持部（ピン１５３）と、複数のピン１５３を駆動して、水平方向（Ｘ−Ｙ面内）におけるピン１５３の配置位置を調整する調整機構１６と、処理対象となる基板が第一基板Ａ１〜第五基板Ａ５のいずれかであるかを示す基板識別情報を受け付ける受付部２１と、第一基板Ａ１〜第五基板Ａ５の切断領域ｂの配置パターンに対応したピン１５３の配置位置に関する情報と第一基板Ａ１〜第五基板Ａ５のいずれかであるかを示す基板識別情報とをそれぞれ対応付けて記憶する記憶部２２と、受付部２１が受け付けた前記基板識別情報に対応するピン１５３の配列位置に関する情報を記憶部２２から読み出し、読み出したピン１５３の配列位置に関する情報に応じて、調整機構１６を駆動制御して、ピン１５３のＸ−Ｙ面内における配置位置を調整する制御手段２３とを備える。
【００１４】
次に、処理装置１について詳細に説明する。
処理装置１は図１の側面図に示すように、ベース１１、昇降台１２、昇降手段１３、固定支持部（固定ピン）１８、支持機構（第一支持機構１５Ａ，第二支持機構１５Ｂ）、調整機構１６、ヒータ（処理部）１７とを備える。図１は処理装置１の側面図である。
【００１５】
ベース１１は、平板状の板材であり、昇降台１２を支持している。
昇降台１２は、平板状の板材であり、昇降手段１３を介して、ベース１１に支持されている。
昇降台１２には、ねじ孔が形成されている。昇降手段１３は、複数本のねじ軸で構成されており、各ねじ軸は、昇降台１２に形成されたねじ孔に挿入されている。ねじ軸を回転駆動することで、昇降台１２が上下に駆動する。すなわち、昇降台１２は、ボールねじ機構により上下に駆動する。
昇降台１２上には、支持機構が配置されている。支持機構は複数の第一支持機構１５Ａと複数の第二支持機構１５Ｂとを含み、これらは昇降台１２上に離間配置されている。支持機構１５Ａ，１５Ｂは、処理対象となる基板を支持するものである。
【００１６】
支持機構１５Ａは、図１及び図２（Ａ）、（Ｂ）に示すように、回転軸１５１と、延在部１５２Ａと、支持部であるピン１５３とを備える。なお、図２（Ｂ）は、図２（Ａ）のＢ―Ｂ方向の断面図である。図２（Ｂ）においては、見易さを考慮して、一部のピン１８の記載を省略している。
回転軸１５１は、鉛直方向に一直線状に延在する棒状の部材であり、その基端部が調整機構１６のモータに接続されている。モータを駆動することで、回転軸１５１が回転駆動することとなる。
回転軸１５１の先端部には、水平方向に延在する１本の延在部１５２Ａが接続されている。延在部１５２Ａは、その一方の端部が回転軸１５１に接続されるとともに、回転軸１５１から一方向に一直線状に延在する棒状の部材である。
延在部１５２Ａの他方の端部には、ピン１５３が１本立設されている。ピン１５３は、鉛直方向に一直線状に延在する棒状の部材であり、先端部が円錐状あるいは円錐台状に形成されている。このピン１５３はその先端部が、処理対象となる基板の裏面に直接接触し、処理対象となる基板を支持する。
支持機構１５Ａは、回転軸１５１と、延在部１５２Ａと、ピン１５３とでクランク形状となっている。なお、支持機構１５Ａにおいて、回転軸１５１の周囲には、ピン１５３が１本のみ設けられている。
【００１７】
支持機構１５Ｂは、支持機構１５Ａと同様、回転軸１５１と、支持部であるピン１５３とを備えるが、延在部１５２Ｂの長さが支持機構１５Ａの延在部１５２Ａとは異なっている。その他の点は、支持機構１５Ａと同様である。
延在部１５２Ｂは、その一方の端部が回転軸１５１に接続されるとともに、回転軸１５１から一方向に一直線状に延在する棒状の部材である。延在部１５２Ｂの長さ（すなわち、延在部１５２Ｂの回転軸１５１との交点から、ピン１５３が設けられた部分までの長さ）は、延在部１５２Ａの長さよりも短くなっている。本実施形態では、延在部１５２Ｂの長さは、延在部１５２Ａの１／３程度となっている。
換言すると、支持機構１５Ｂにおけるピン１５３の回転軸１５１からの距離と、支持機構１５Ａにおけるピン１５３の回転軸１５１からの距離とが異なっており、支持機構１５Ｂにおけるピン１５３が描く回転半径と、支持機構１５Ａにおけるピン１５３が描く回転半径とは異なっている。
支持機構１５Ｂも回転軸１５１と、延在部１５２Ｂと、ピン１５３とでクランク形状となっている。また、支持機構１５Ｂにおいても、回転軸１５１の周囲には、ピン１５３が１本のみ設けられている。
【００１８】
調整機構１６は、前述したようにモータ（アクチュエータ）を備え、このモータを回転させることで支持機構１５Ａ，１５Ｂの回転軸１５１が回転駆動する。回転軸１５１が回転駆動することで、延在部１５２Ａ，１５２Ｂが回動し、ピン１５３の水平方向における支持位置が調整されることとなる。
【００１９】
ここで、昇降台１２上には、各支持機構１５Ａ，１５Ｂそれぞれに対応して調整機構１６が設けられている。すなわち、支持機構１５Ａおよび調整機構１６で構成される第一ユニットと、支持機構１５Ｂおよび調整機構１６で構成される第二ユニットとが昇降台１２上にそれぞれ複数、配置されている。
本実施形態では、図２（Ａ）にも示すように、図面Ｙ軸方向に沿って第一ユニット（支持機構１５Ａおよび調整機構１６）が離間配置された第一列がある。そして、この第一列の隣には、Ｙ軸方向に沿って第二ユニット（支持機構１５Ｂおよび調整機構１６）が離間配置された第二列がある。この第二列の隣には、Ｙ軸方向に沿って第一ユニットが離間配置された第三列がある。そして、第三列の隣には、Ｙ軸方向に沿って第一ユニットが離間配置された第四列がある。第四列の隣には、Ｙ軸方向に沿って第二ユニットが離間配置された第五列がある。第五の列の隣には、Ｙ軸方向に沿って第一ユニットが離間配置された第六列がある。
ただし、各ユニットの配列は、これに限られたものではなく、処理装置１にて処理する基板の切断領域のパターンに応じて適宜設定すればよい。
【００２０】
一方で、図１および図２に示すように、昇降台１２上には、固定ピン（固定支持部）１８も配置されている。固定ピン１８は、鉛直方向に沿って一直線状に延在する棒状の部材であり、その先端が円錐状または円錐台状に形成されている。固定ピン１８は、昇降台１２に固定されたものであり、水平方向、高さ方向における配置位置が固定されている。固定ピン１８は、図５〜９の平面図に示すように、基板Ａ１〜Ａ５のいずれかの処理対象となる基板の周縁部および処理対象となる基板の中心部に位置する切断領域ｂを支持するように配置されている。
なお、固定ピン１８により支持される基板の周縁部は、処理対象領域ａ外の領域である。
ただし、固定ピン１８の配置はこれに限られたものではなく、処理装置１にて処理する基板の切断領域ｂ、処理対象領域ａの配置パターンに応じて適宜設定すればよい。
また、固定ピン１８の先端の昇降台１２からの高さ位置と、ピン１５３の先端の昇降台１２からの高さ位置とは同じである。
【００２１】
図１に示すように、ヒータ１７は、処理対象となる基板に処理を施す処理部である。ヒータ１７は、昇降台１２の上部に配置され、処理対象となる基板を裏面側から加熱する。
ヒータ１７は、本実施形態では、熱板であり、ヒータ１７には、回転軸１５１および固定ピン１８が貫通する貫通孔がそれぞれ形成されている。
ヒータ１７を処理対象となる基板の裏面側に配置し、基板の下方側から基板を加熱することで、熱処理時に発生する揮発物がヒータ１７に付着するのを防止している。
【００２２】
また、図３に示すように、処理装置１は、さらに、受付部２１、記憶部２２、制御手段２３を備える。
本実施形態の処理装置１では、第一基板Ａ１〜第五基板Ａ５のいずれかの基板を処理するが、受付部２１は、処理対象となる基板が第一基板Ａ１〜第五基板Ａ５のいずれかであるかを示す基板識別情報を受け付ける。
【００２３】
記憶部２２には、第一基板Ａ１〜第五基板Ａ５の切断領域ｂの配置パターンに対応したピン１５３の水平方向における配置位置に関する情報と、第一基板Ａ１〜第五基板Ａ５の基板識別情報（第一基板Ａ１〜第五基板Ａ５のいずれかであることを示す情報）とがそれぞれ対応付けられて記憶されている。
たとえば、第一基板Ａ１を処理する際には、図５に示すようなピン１５３の平面配置となる。たとえば、図２に示したピン１５３の配置位置を基準位置とした場合、第一列目の図面手前側から１番目のピン１５３（図面中、最も左端に配置され、図面手前側に位置するピン１５３、たとえば、ピンＮｏ．１−１とする）の配置位置は、基準位置の状態から回転軸１５１を１８０°回転させた位置となることが記憶部２２に記憶されている。
【００２４】
同様に、図２に示したピン１５３の配置位置が基準位置である場合、第一列目の手前から２番目のピン１５３（たとえば、ピンＮｏ．１−２とする）の位置は、基準位置の状態から回転軸１５１を１８０°回転させた位置となることが記憶部２２に記憶されている。このように各ピン１５３の配置位置に対応した回転軸１５１の基準位置からの回転角度が記憶部２２に記憶されている。
本実施形態では、ピン１５３の水平方向における配置位置に関する情報は、各ピン１５３に接続された回転軸１５１の基準位置からの回転角度となる。
【００２５】
また、第二基板Ａ２を処理する場合には、図６に示すようなピン１５３の平面配置となる。そして、第一基板Ａ１の場合と同様に、第二基板Ａ２を処理する際の各回転軸１５１の基準位置からの回転角度が記憶部２２に記憶されている。
【００２６】
さらに、第三基板Ａ３を処理する場合には、図７に示すようなピン１５３の平面配置となる。第四基板Ａ４を処理する場合には、図８に示すようなピン１５３の平面配置となる。第五基板Ａ５を処理する場合には、図９に示すようなピン１５３の平面配置となる。そして、記憶部２２には、各基板Ａ３〜Ａ５を処理する際の各回転軸１５１の基準位置からの回転角度がそれぞれ記憶されている。
【００２７】
より具体的には、各ピン１５３には、各ピン１５３を識別するための識別情報であるピンナンバーが割り振られており、記憶部２２は、図３（Ｂ）に示すように、ピン１５３の識別情報と、各ピン１５３の回転軸１５１の回転角度（ピン１５３の水平方向における配置位置に関する情報）とが対応付けられて記憶されたテーブル２２１が複数記憶されている。各テーブル２２１は、基板Ａ１〜Ａ５を示す各基板識別情報と対応付けられている。
なお、本実施形態では、基板Ａ１〜Ａ５を処理する際、各回転軸１５１の基準位置からの回転角度は、０°か１８０°の２つのうちの一方となる。
【００２８】
図３（Ａ）に示すように、制御手段２３は、受付部２１が受け付けた前記基板識別情報に対応するピン１５３の配置位置に関する情報を記憶部２２から読み出す読出部２３１と、読出部２３１で読み出したピン１５３の配列位置に関する情報に基づいて、調整機構１６のモータを駆動制御して、ピン１５３の水平方向における配置位置を調整する制御部２３２とを備える。
【００２９】
読出部２３１は、記憶部２２に記憶されたテーブル２２１のうち、受付部２１で受け付けた、基板識別情報に対応したテーブル２２１を読み出す。
制御部２３２では、読出部２３１で読み出したテーブル２２１に記憶された各回転軸１５１の基準位置からの回転角度で、各回転軸１５１が基準位置から回転するように、各モータに信号を送信する。
なお、詳しくは後述するが、たとえば、第一基板Ａ１を処理した後、第二基板Ａ２を処理する場合には、読出部２３１は、第一基板Ａ１のテーブル２２１、第二基板Ａ２のテーブル２２１を読み出し、制御部２３２では、第一基板Ａ１のテーブル２２１、第二基板Ａ２のテーブル２２１に基づいて、各回転軸１５１の回転角度の差を算出する。そして、制御部２３２は、この回転角度差で回転軸１５１が回転するように、各モータに信号を送信する。
【００３０】
制御部２３２からの信号をうけ、各モータが駆動し、各回転軸１５１が回転駆動することとなる。
なお、モータは、図示しないが、回転軸１５１の基準位置からの回転角度を検出するエンコーダと、比較制御部とを有する。比較制御部では、エンコーダにより検出された回転軸１５１の回転角度と、制御部２３２からの信号に基づく回転角度とを比較し、回転角度が一致するまで、モータを駆動するように制御し、回転角度が一致したら、モータの駆動を停止する。
【００３１】
さらに、この処理装置１は、図４に示すように、処理対象となる基板（基板Ａ１〜Ａ５のいずれか）をピン１５３および固定ピン１８上に配置するとともに、処理対象となる基板をピン１５３および固定ピン１８上から移動させるためのフォーク１９も有している。
【００３２】
次に、処理装置１による基板の処理方法について説明する。
はじめに、作業者が、処理すべき基板の基板識別情報（基板Ａ１〜Ａ５のどの基板を処理するかという情報）を処理装置１に入力する。本実施形態では、はじめに第一基板Ａ１を処理するため、第一基板Ａ１の基板識別情報を作業者が処理装置１に入力する（処理Ｓ１）。入力した情報は受付部２１で受け付けられ、その後、制御手段２３に送信される（処理Ｓ２）。制御手段２３の読出部２３１では、受付部２１で受け付けた基板識別情報に対応するテーブル２２１を読み出す（処理Ｓ３）。ここでは、第一基板Ａ１に対応するテーブル２２１を読み出す。読み出したテーブル２２１に基づいて制御部２３２は、各回転軸１５１の基準位置からの回転角度の情報をモータに送信する（処理Ｓ４）。
【００３３】
モータは、制御部２３２からの情報に基づき、各回転軸１５１を回転駆動させる。なお、本実施形態では、第一基板Ａ１をはじめに処理するため、第一基板Ａ１の処理を開始する前段において、各回転軸１５１は、基準位置にあるとしている。
第一基板Ａ１を処理する場合には、各ピン１５３の配置は、図４、５のようになる（処理Ｓ５）。図４，５は、処理装置１の平面図であり、基板Ａ１を各ピン１５３、固定ピン１８で支持した状態を示している。ただし、各ピン１５３、延在部１５２Ａ，１５２Ｂ、固定ピン１８は基板Ａ１の下方に位置しているが、見易さを考慮し、実線で示している。
【００３４】
図４に示すように、各ピン１５３を所定の位置に配置した後、ピン１５３および固定ピン１８上に第一基板Ａ１をのせる（処理Ｓ６）。具体的には、第一基板Ａ１を裏面側から支持したフォーク１９を、ピン１５３および固定ピン１８上に移動させる。そして、昇降台１２を上方に駆動させて、ピン１５３および固定ピン１８の先端を、第一基板Ａ１の裏面に接触させる。その後、フォーク１９を水平移動させて、昇降台１２の上方からフォーク１９を除去する。これにより、フォーク１９からピン１５３および固定ピン１８に第一基板Ａ１が引き渡されることとなる。そして、第一基板Ａ１がピン１５３および固定ピン１８に支持されることとなる。このとき、図４，５に示すように、固定ピン１８およびピン１５３は第一基板Ａ１の切断領域ｂおよび第一基板Ａ１の周縁部に当接し、処理対象領域ａには接触していない。
【００３５】
その後、ヒータ１７により、第一基板Ａ１の加熱処理が行なわれる（処理Ｓ７）。所定時間加熱処理を行なった後、昇降台１２が上方に移動し、フォーク１９が水平移動して、ピン１５３および固定ピン１８からフォーク１９に第一基板Ａ１が引き渡されることとなる（処理Ｓ８）。
その後、処理Ｓ６〜処理Ｓ８を繰り返すことで、複数枚の第一基板Ａ１を処理することができる。
【００３６】
次に、第一基板Ａ１の処理が終了した後、作業者は、次に処理すべき基板の基板識別情報を処理装置１に入力する。ここでは、第二基板Ａ２を処理するため、第二基板Ａ２の基板識別情報が処理装置１に入力される。入力された基板識別情報は受付部２１で受け付けられ、その後、制御手段２３に送信される。制御手段２３の読出部２３１では受付部２１で受け付けた基板識別情報に対応するテーブル２２１を読み出す。ここでは、第二基板Ａ２のテーブル２２１を読み出す。また、受付部２１から読出部２３１に基板識別情報が出力された際、読出部２３１では、前回読み出したテーブル２２１も読み出す。ここでは、第一基板Ａ１のテーブル２２１を読み出す。
そして、制御部２３２では、読出部２３１で読み出した第二基板Ａ２のテーブル２２１と、第一基板Ａ１のテーブル２２１とを比較し、第一基板Ａ１を処理する際の各回転軸１５１の基準位置からの回転角度と、第二基板Ａ２を処理する際の各回転軸１５１の基準位置からの回転角度との差を求める。そして、回転軸１５１の回転角度差をモータに出力し、モータの駆動を制御する。
【００３７】
なお、第一基板Ａ１の処理後に第二基板Ａ２を処理する場合、回転軸１５１を一度基準位置まで戻してから、モータを駆動させてもよい。この場合には、受付部２１で基板識別情報を受け付けると、制御部２３２が回転軸１５１を一度基準位置に戻すようにモータを制御すればよい。そして、読出部２３１では、第二基板Ａ２のテーブル２２１のみを読み出し、この読み出した第二基板Ａ２のテーブル２２１に基づいて、制御部２３２は、各回転軸１５１の基準位置からの回転角度の情報をモータに送信すればよい。
【００３８】
第二基板Ａ２を処理する場合には、各ピン１５３の配置は、図６のようになる。図６において、各ピン１５３、延在部１５２Ａ，１５２Ｂ、固定ピン１８は基板Ａ２の下方に位置しているが、見易さを考慮し、実線で示している。
【００３９】
各ピン１５３を所定位置に配置した後、ピン１５３および固定ピン１８上に第二基板Ａ２をのせる。この工程は、前述した処理Ｓ６と同様の工程であり、フォーク１９から第二基板Ａ２を固定ピン１８、ピン１５３に引き渡す。このとき、図６に示すように、固定ピン１８およびピン１５３は第二基板Ａ２の切断領域ｂおよび第二基板Ａ２の周縁部に当接し、処理対象領域ａには接触していない。
そして、第一基板Ａ１を処理する際と同様の処理Ｓ７〜処理Ｓ８を実施する。さらに、第一基板Ａ１を処理する際と同様、前述した処理Ｓ６〜処理Ｓ８を繰り返すことで、複数の第二基板Ａ２を処理することができる。
【００４０】
このようにして、第二基板Ａ２の処理が終了した後、作業者は、次に処理すべき基板の基板識別情報（基板Ａ１〜Ａ５のどの基板を処理するかという情報）を処理装置１に入力する。本実施形態では、次に、第三基板Ａ３を処理するため、第三基板Ａ３の基板識別情報が処理装置１に入力される。入力された基板識別情報は受付部２１で受け付けられ、その後、制御手段２３に送信される。制御手段２３の読出部２３１では受付部２１で受け付けた基板識別情報に対応するテーブル２２１、ここでは、第三基板Ａ３のテーブル２２１を読み出す。さらに、第二基板Ａ２を処理する場合と同様、受付部２１から読出部２３１に基板識別情報が出力された際、読出部２３１では、前回読み出したテーブル２２１も読み出す。ここでは、第二基板Ａ２のテーブル２２１を読み出す。
そして、制御部２３２では、読出部２３１で読み出した第三基板Ａ３のテーブル２２１と、第二基板Ａ２のテーブル２２１とを比較し、第三基板Ａ３を処理する際の各回転軸１５１の基準位置からの回転角度と、第二基板Ａ２を処理する際の各回転軸１５１の基準位置からの回転角度との差を求める。そして、回転軸１５１の回転角度差をモータに出力し、モータの駆動を制御する。
その後の工程は、第二基板Ａ２を処理する場合と同様である。
【００４１】
なお、第三基板Ａ３を処理する場合には、各ピン１５３の配置は、図７のようになる。
固定ピン１８およびピン１５３は第三基板Ａ３の切断領域ｂおよび第三基板Ａ３の周縁部に当接し、処理対象領域ａには接触しない。なお、図７では、各ピン１５３、延在部１５２Ａ，１５２Ｂ、固定ピン１８は基板Ａ１の下方に位置しているが、見易さを考慮し、実線で示している。
【００４２】
さらに、第三基板Ａ３の処理が終了した後、作業者は、次に処理すべき基板の基板識別情報（基板Ａ１〜Ａ５のどの基板を処理するかという情報）を処理装置１に入力する。本実施形態では、次に、第四基板Ａ４を処理するため、第四基板Ａ４の基板識別情報が処理装置１に入力される。入力された基板識別情報は受付部２１で受け付けられ、その後、制御手段２３に送信される。制御手段２３の読出部２３１では受付部２１で受け付けた基板識別情報に対応するテーブル２２１、ここでは、第四基板Ａ４のテーブル２２１を読み出す。さらに、第二基板Ａ２を処理する場合と同様、受付部２１から読出部２３１に基板識別情報が出力された際、読出部２３１では、前回読み出したテーブル２２１も読み出す。ここでは、第三基板Ａ３のテーブル２２１を読み出す。
【００４３】
そして、制御部２３２では、読出部２３１で読み出した第三基板Ａ３のテーブル２２１と、第四基板Ａ４のテーブル２２１とを比較し、第四基板Ａ４を処理する際の各回転軸１５１の基準位置からの回転角度と、第三基板Ａ３を処理する際の各回転軸１５１の基準位置からの回転角度との差を求める。そして、回転軸１５１の回転角度差をモータに出力し、モータの駆動を制御する。
その後の工程は、第二基板Ａ２を処理する場合と同様である。
【００４４】
なお、第四基板Ａ４を処理する場合には、各ピン１５３の配置は、図８のようになる。
固定ピン１８およびピン１５３は第四基板Ａ４の切断領域ｂおよび第四基板Ａ４の周縁部に当接し、処理対象領域ａには接触しない。なお、図８では、各ピン１５３、延在部１５２Ａ，１５２Ｂ、固定ピン１８は基板Ａ１の下方に位置しているが、見易さを考慮し、実線で示している。
【００４５】
さらに、第四基板Ａ４の処理が終了した後、作業者は、次に処理すべき基板の基板識別情報（基板Ａ１〜Ａ５のどの基板を処理するかという情報）を処理装置１に入力する。本実施形態では、次に、第五基板Ａ５を処理するため、第五基板Ａ５の基板識別情報が処理装置１に入力される。入力された基板識別情報は受付部２１で受け付けられ、その後、制御手段２３に送信される。制御手段２３の読出部２３１では受付部２１で受け付けた基板識別情報に対応するテーブル２２１、ここでは、第五基板Ａ５のテーブル２２１を読み出す。さらに、第二基板Ａ２を処理する場合と同様、受付部２１から読出部２３１に基板識別情報が出力された際、読出部２３１では、前回読み出したテーブル２２１も読み出す。ここでは、第四基板Ａ４のテーブル２２１を読み出す。
【００４６】
そして、制御部２３２では、読出部２３１で読み出した第五基板Ａ５のテーブル２２１と、第四基板Ａ４のテーブル２２１とを比較し、第四基板Ａ４を処理する際の各回転軸１５１の基準位置からの回転角度と、第五基板Ａ５を処理する際の各回転軸１５１の基準位置からの回転角度との差を求める。そして、回転軸１５１の回転角度差をモータに出力し、モータの駆動を制御する。
その後の工程は、第二基板Ａ２を処理する場合と同様である。
【００４７】
なお、第五基板Ａ５を処理する場合には、各ピン１５３の配置は、図９のようになる。
固定ピン１８およびピン１５３は第五基板Ａ５の切断領域ｂおよび第五基板Ａ５の周縁部に当接し、処理対象領域ａには接触しない。なお、図９では、各ピン１５３、延在部１５２Ａ，１５２Ｂ、固定ピン１８は基板Ａ１の下方に位置しているが、見易さを考慮し、実線で示している。
【００４８】
以上のようにして、処理された第一基板Ａ１〜第五基板Ａ５は、切断領域ｂにおいて切断され個片化されることとなる。
そして、各個片は、画像表示装置等の装置に組み込まれ、製品となる。この場合、処理対象領域ａは画像表示装置の画面領域となる。基板Ａ１〜Ａ５からは、異なる画面領域サイズのディスプレイを得ることができる。
なお、本実施形態では、第一基板Ａ１〜第五基板Ａ５の順に基板を処理する例を示したが、基板の処理順はこれに限られるものではない。
【００４９】
次に、本実施形態の作用効果について説明する。
処理装置１は、記憶部２２を有し、記憶部２２には、各基板Ａ１〜Ａ５の切断領域ｂの配置パターンに応じたピン１５３の配置位置に関する情報が、各基板Ａ１〜Ａ５の識別情報に対応付けられて記憶されている。
そして、制御手段２３により、受付部２１が受け付けた基板識別情報に対応するピン１５３の配置位置に関する情報を記憶部２２から読み出し、記憶部２２から読み出したピン１５３の配列位置に応じて、調整機構１６を駆動制御して、支持部１５３の配置位置を調整している。
これにより、処理対象領域ａと切断領域ｂとの配置パターンが互いに異なる第一基板Ａ１〜第五基板Ａ５に対応することができ、前記配置パターンが異なる基板Ａ１〜Ａ５であっても、切断領域ｂをピン１５３で支持して処理することができる。
すなわち、処理装置１では、第一基板Ａ１〜第五基板Ａ５のいずれの基板においても、処理対象領域ａがピン１５３による支持の影響をうけてしまうことが防止される。そして、処理装置１では、第一基板Ａ１〜第五基板Ａ５のいずれをも処理することができるので、基板の処理効率を向上させることができる。
【００５０】
なお、製品の画像表示領域等の大きさは様々であるため、あらかじめ基板に設定される切断領域、処理対象領域のパターンは複数存在する。従来、複数存在する切断領域、処理対象領域の配置パターンに応じて、ピン等の支持部の支持位置を変更することは困難であると考えられており、前記切断領域の配置パターンに応じて、ピン等の支持部の支持位置を変更することはなされなかった。
そして、複数存在する切断領域、処理対象領域の配置パターンに応じて、ピン等の支持部の支持位置を変更することは困難であるという認識のもと、切断領域と処理対象領域とを区別せずに支持部で支持を行う一方で、支持部で同一箇所を続けて支持することを防止する構造を、従来、採用していた。
実際に、特許文献１，２には、支持部で同一箇所を支持することを防止する構造の開示はあるものの、特許文献１，２のいずれにも、基板の切断領域、処理対象領域のパターンに応じて、支持部の位置を変更するという思想は全く開示されていない。
これに対し、本実施形態では、前述したように、配置パターンが異なる基板Ａ１〜Ａ５であっても、切断領域ｂをピン１５３で支持して処理する構成を採用したものであり、処理装置１は、従来技術とは全く異なる思想に基づき発案されたものである。
【００５１】
また、本実施形態では、ピン１５３や固定ピン１８により、処理対象となる基板の切断領域ｂを支持する。切断領域ｂは、処理後に切断されてしまう領域であるため、同じピンで支持しつづけ、ピン跡等が形成されてしまっても、問題とならない。そのため、特許文献１，２に開示されたような異なるタイミングでピンを上下方向に駆動する機構が不要となる。従って、ピン１５３や固定ピン１８の昇降台からの高さ位置は常に一定であり、ピン１５３や固定ピン１８の昇降台からの高さ位置が変動しない構成とすることができる。これにより、処理装置の構造の簡略化を図ることができる。
【００５２】
さらに、本実施形態では、モータにより回転軸１５１を回転させることで、ピン１５３の配置位置を調整することができる。回転軸１５１を回転させるだけでピン１５３の配置位置を調整できるので、処理装置１の構造の複雑化を防止できる。
特に、本実施形態では、回転軸１５１を回転させる場合には、回転前の状態から回転軸１５１を１８０°だけ回転させればよい。回転軸１５１の回転角度をさまざまな角度に設定する必要がないので、高性能なモータ等を使用する必要がなく、処理装置１にかかるコストを低減させることができる。
【００５３】
さらに、本実施形態では、延在部１５２Ａ、１５２Ｂの長さが異なる支持機構１５Ａ，１５Ｂを使用している。これにより、支持機構１５Ａにおけるピン１５３の回転半径と、支持機構１５Ｂにおけるピン１５３の回転半径とを異なるものとすることができる。そのため、切断領域ｂの配置パターンが異なるさまざまな基板Ａ１〜Ａ５に対応することができる。
【００５４】
さらに、本実施形態では、処理装置１は固定ピン１８を有している。この固定ピン１８は、基板Ａ１〜Ａ５の周縁部および基板Ａ１〜Ａ５の中心の切断領域ｂを支持するように配置されている。このような固定ピン１８を設けることで、基板Ａ１〜Ａ５を安定的に支持することができる。
また、固定ピン１８は、鉛直方向に延在する一直線状の部材であり、クランク形状の支持機構１５Ａ，１５Ｂに比べて、鉛直方向からかかる荷重に対する強度が高い。このような強度の高い固定ピン１８で基板Ａ１〜Ａ５の周縁部、さらには、基板Ａ１〜Ａ５の中心に位置する切断領域ｂを支持することで、支持機構１５Ａ，１５Ｂのピン１５３や、延在部１５２Ａ，１５２Ｂに荷重がかかりすぎてしまうことを防止できる。
【００５５】
また、本実施形態では、回転軸１５１を回転させて、ピン１５３の水平方向における位置を調整できるため、切断領域の配置パターンが異なる複数の基板を同一のピン１５３で支持することができる。これにより、処理装置１にかかるコストを低減させることができる。
【００５６】
なお、本発明は前述の実施形態に限定されるものではなく、本発明の目的を達成できる範囲での変形、改良等は本発明に含まれるものである。
たとえば、前記実施形態では、各ピン１５３の配置位置に関する情報として、回転軸１５１の基準位置からの回転角度を記憶部２２に記憶していたが、これに限られるものではない。たとえば、各ピン１５３の配置位置に関する情報として、各ピン１５３の配置座標（各ピン１５３のＸ−Ｙ平面における位置座標）を記憶していてもよい。図１０に示すように、記憶部２２に、基板Ａ１〜Ａ５の基板識別情報と、各基板Ａ１〜Ａ５の切断領域ｂの配置パターンに応じた各ピン１５３の配置座標のテーブル２２１とを対応付けて記憶させておく。制御手段２３の読出部２３１では、受付部で受け付けた基板識別情報に対応する各ピン１５３の配置座標のテーブル２２１を読み出し、制御部２３２では、読み出した配置座標のテーブル２２１に基づいて、モータの回転を制御する。たとえば、記憶部２２には、各ピン１５３の基準位置の座標値が記憶されており、制御部２３２では、記憶部２２から読み出したテーブル２２１の座標値と記憶部２２から読み出した各ピン１５３の基準位置の座標値との差から回転軸１５１の回転角度を算出し、モータの駆動を制御する。
また、たとえば、第一基板Ａ１を処理した後、第二基板Ａ２を処理する場合には、読出部２３１は、第二基板Ａ２の各ピンの１５３の配置座標のテーブル２２１を読み出すとともに、第一基板Ａ１の各ピンの１５３の配置座標のテーブル２２１を読み出し、制御部２３２において、各ピン１５３の座標値の変化を算出する。そして、この座標値の変化に基づいて、モータの回転を制御する。
このようにすることで、各ピン１５３の配置位置をより正確に調整することが可能となる。
【００５７】
さらに、前記実施形態では、回転軸１５１を回転させることでピン１５３の配置位置を調整していたが、これに限られるものではない。たとえば、図１１（Ａ）に示すように、リニアアクチュエータ３６を設け、リニアアクチュエータ３６にピン１５３を接続してもよい。ピン１５３が接続されたリニアアクチュエータ３６が設けられ、回転軸１５１、延在部１５２Ａ、１５２Ｂ、モータがない点以外は、前記実施形態と同様である。リニアアクチュエータ３６を駆動することで、ピン１５３が上下方向（Ｚ軸方向）に移動することとなる。この場合には、切断領域の配置パターンに応じて、切断領域の下方に位置するピン１５３をリニアアクチュエータ３６により選択的に上方に移動させる。一方で、処理対象領域の下部に位置するピン１５３は、切断領域を支持するピン１５３よりも下方に位置するようにリニアアクチュエータ３６を駆動する。リニアアクチュエータ３６は、ピン１５３を駆動して、高さ方向（Ｚ軸方向）のピン１５３の位置を調整する調整機構である。この処理装置においても、切断領域がピン１５３により支持され、処理対象領域がピン１５３により支持されてしまうことはない。
このような場合、図１１（Ｂ）に示すように、ピン１５３の配置位置に関する情報として、ピン１５３の識別情報と、切断領域の配置パターンに応じた各ピン１５３の先端の高さ位置（ピン１５３の高さ方向における配置に関する情報）とを関連付けて記憶しておけばよい（テーブル２２１）。すなわち、各基板の切断領域の配置パターンに応じて、切断領域の下方に位置するピン１５３の先端の高さ位置が、処理対象領域の下方に位置するピン１５３の先端の高さ位置よりも高くなるように、ピン１５３の配置に関する情報が各テーブル２２１に記憶されていればよい。そして各テーブル２２１が基板識別情報と対応付けられて記憶部２２に記憶されていればよい。
読出部２３１では、前記実施形態と同様、受付部２１で受け付けた基板識別情報に対応するテーブル２２１を記憶部２２から読み出す。その後、制御部２３２では、読み出したテーブル２２１に記憶された各ピン１５３の高さ位置に基づいて、リニアアクチュエータ３６を駆動させればよい。
また、たとえば、第一基板Ａ１を処理した後、第二基板Ａ２を処理する場合には、読出部２３１は、第二基板Ａ２に対応付けられたテーブル２２１を読み出すとともに、第一基板Ａ１に対応付けられたテーブル２２１を読み出し、制御部２３２において、各ピン１５３の高さ位置の変化を算出する。そして、この高さ位置の変化に基づいて、リニアアクチュエータ３６を制御する。
なお、ヒータ１７には、すべてのピン１５３に対応した貫通孔が形成されており、貫通孔内をピン１５３が上下する。
【００５８】
また、前記実施形態では、処理装置の基板を支持する支持部をピン１５３としたが、これに限られるものではない。たとえば、図１２に示すように支持部を線材４３としてもよい。この線材４３は両端部がロッド４２に架張されている。ロッド４２はそれぞれスライダ４１上に固定されており、スライダ４１は、昇降台１２をＹ軸方向にスライドする。各線材４３間の距離を調整することで、各基板の切断領域を支持するように構成することができる。この場合、記憶部２２には、支持部の配置位置に関する情報として、基準位置からの線材４３のスライド量と基板識別情報とが関連づけられて記憶されていればよい。
なお、図１２（Ａ）は、この処理装置の側面図であり、図１２（Ｂ）は、この処理装置の平面図である。
【００５９】
さらに、図１２の処理装置において、線材４３は水平方向（Ｙ軸方向）に移動する構成としたが、これに限らず、図１３に示すように、線材４３が鉛直方向（Ｚ軸方向）に移動するものとしてもよい。リニアアクチュエータ３６を配置して、リニアアクチュエータ３６にロッド４２を接続する。基板の切断領域の下方に位置する線材４３の高さ位置が、基板の処理対象領域の下方に位置する線材４３よりも高くなるように、リニアアクチュエータ３６を駆動させればよい。たとえば、図１３（Ａ）の側面図では、図面手前側に位置する線材４３は、処理対象領域の下方に位置しているため、基板Ａ１（Ａ２〜Ａ５）に当接せず、図面奥側の線材４３は切断領域の下方に位置しているため、基板Ａ１（Ａ２〜Ａ５）を支持している。このようにすることで、切断領域の配置パターンが異なる多数の基板Ａ１（Ａ２〜Ａ５）に対応することができる。この場合、記憶部２２には、各基板Ａ１（Ａ２〜Ａ５）の切断領域の配置パターンに応じた、基準位置からの各線材４３の高さ位置が、線材４３の識別情報と関連づけられた複数のテーブルが記憶されている。そして、各テーブルは、基板識別情報と関連づけられて記憶されている。
読出部２３１では、前記実施形態と同様、受付部２１で受け付けた基板識別情報に対応するテーブルを記憶部２２から読み出す。その後、制御部２３２では、読み出したテーブルに記憶された各線材４３の高さ位置に基づいて、リニアアクチュエータ３６を駆動させればよい。
また、たとえば、第一基板Ａ１を処理した後、第二基板Ａ２を処理する場合には、読出部２３１は、第二基板Ａ２に対応したテーブルを読み出すとともに、第一基板Ａ１のテーブルを読み出し、制御部２３２において、線材４３の高さ位置の変化量を算出する。そして、この高さ位置の変化量に基づいて、リニアアクチュエータ３６の駆動を制御する。
なお、図１３（Ａ）は、この処理装置の側面図であり、図１３（Ｂ）は、この処理装置の平面図である。
【００６０】
さらに、前記実施形態では、基板をガラス基板としたが、これに限られるものではなく、樹脂基板としてもよい。さらには、処理対象となる基板を半導体ウェハや金属基板としてもよい。
【００６１】
また、前記実施形態では、処理装置１はヒータ１７を有する熱処理装置であったが、これに限られるものではない。たとえば、処理装置を減圧乾燥装置としてもよい。この場合には、処理装置１からヒータ１７を除去した構成の装置を、真空チャンバ等の減圧器の内部に設置すればよい。
以下、参考形態の例を付記する。
１．  複数の処理対象領域と前記処理対象領域間に形成された切断領域とを備え、前記処理対象領域と前記切断領域との配置パターンが互いに異なる第一基板と第二基板とを処理するための基板の処理装置であって、
前記第一基板および前記第二基板のうち処理対象となる基板の前記切断領域を支持するための複数の支持部と、
前記支持部を駆動して、前記支持部の位置調整を行う調整機構と、
処理対象となる基板が前記第一基板であるか前記第二基板であるかを示す基板識別情報を受け付ける受付部と、
前記第一基板の前記切断領域の配置パターンに応じた前記支持部の配置に関する情報と第一基板であることを示す基板識別情報とを対応付けて記憶するとともに、前記第二基板の前記切断領域の配置パターンに応じた前記支持部の配置に関する情報と第二基板であることを示す基板識別情報とを対応付けて記憶する記憶部と、
前記受付部が受け付けた前記基板識別情報に対応する前記支持部の配置に関する情報を前記記憶部から読み出し、読み出した前記支持部の配置に関する情報に基づいて、前記調整機構を駆動制御して、前記切断領域を支持するとともに、前記処理対象領域を支持しないように前記支持部の位置調整を行う制御手段とを備える基板の処理装置。
２．  １に記載の基板の処理装置において、
前記支持部は、ピンである基板の処理装置。
３．  １または２に記載の基板の処理装置において、
前記記憶部には、前記第一基板の前記切断領域の配置パターンに応じた前記支持部の水平方向における配置に関する情報と、前記第二基板の前記切断領域の配置パターンに応じた前記支持部の水平方向における配置に関する情報とが記憶されており、
前記調整機構は、前記複数の支持部を水平方向に移動させて、水平方向における前記支持部の配置位置を調整するものであり、
前記制御手段は、読み出した前記支持部の配置に関する情報に基づいて、前記調整機構を駆動制御して、前記切断領域を支持するとともに、前記処理対象領域を支持しないように前記支持部の水平方向における配置位置を調整する処理装置。
４．  ３に記載の基板の処理装置において、
前記支持部は、ピンであり、
鉛直方向に延びる回転軸と、この回転軸と直交して水平方向に延在する延在部と、延在部から上方に突出し、前記切断領域を支持する前記ピンとを備える支持機構を複数有し、
前記調整機構は、前記回転軸を回転駆動することで、前記ピンの水平方向における配置位置を調整する基板の処理装置。
５．  ４に記載の基板の処理装置において、
前記支持機構は、前記延在部の前記回転軸との交点から前記ピンが設けられた部分までの長さが互いに異なる第一支持機構と第二支持機構とを備える基板の処理装置。
６．  ４または５に記載の基板の処理装置において、
前記調整機構は、前記回転軸を回転駆動するためのモータを含んで構成される基板の処理装置。
７．  １または２に記載の基板の処理装置において、
前記記憶部には、前記第一基板の前記切断領域の配置パターンに応じた前記複数の支持部の高さ方向における配置に関する情報と、前記第二基板の前記切断領域の配置パターンに応じた前記複数の支持部の高さ方向における配置に関する情報とが記憶されており、
前記調整機構は、複数の支持部の高さ方向における配置を調整するものであり、
前記制御手段は、読み出した前記支持部の配置に関する情報に基づいて、前記調整機構を駆動制御して、前記切断領域の下部に位置する一部の支持部が、処理対象領域の下部に位置する他の一部の支持部よりも相対的に上方に位置するように前記調整機構を制御する基板の処理装置。
８．  １乃至７のいずれかに記載の基板の処理装置において、
当該処理装置は、前記基板を熱処理するための熱板を有し、
前記熱板は、処理対象となる基板の下方に配置される基板の処理装置。
９．  １乃至８のいずれかに記載の基板の処理装置において、
前記複数の支持部は、処理対象となる基板の前記切断領域を支持するものであり、
前記複数の支持部とは異なり、処理対象となる基板の前記処理対象領域外の前記基板の周縁部を支持するとともに、水平方向および高さ方向における配置位置が固定された固定支持部を有する基板の処理装置。
１０．  １乃至９のいずれかに記載の基板の処理装置において、
当該処理装置は、画像表示装置に使用される基板を処理するものであり、
前記処理対象領域は画面領域である基板の処理装置。
【符号の説明】
【００６２】
１    処理装置
１１    ベース
１２    昇降台
１３    昇降手段
１５Ａ    第一支持機構
１５Ｂ    第二支持機構
１６    調整機構
１７    ヒータ
１８    固定ピン
１９    フォーク
２１    受付部
２２    記憶部
２３    制御手段
３６    リニアアクチュエータ
４１    スライダ
４２    ロッド
４３    線材
１５１    回転軸
１５２Ａ    延在部
１５２Ｂ    延在部
１５３    ピン（支持部）
２２１    テーブル
２３１    読出部
２３２    制御部
ａ    処理対象領域
ｂ    切断領域
Ａ１    第一基板
Ａ２    第二基板
Ａ３    第三基板
Ａ４    第四基板
Ａ５    第五基板
【図１】
0005906072.tif 000002
【図２】
0005906072.tif 000003
【図３】
0005906072.tif 000004
【図４】
0005906072.tif 000005
【図５】
0005906072.tif 000006
【図６】
0005906072.tif 000007
【図７】
0005906072.tif 000008
【図８】
0005906072.tif 000009
【図９】
0005906072.tif 000010
【図１０】
0005906072.tif 000011
【図１１】
0005906072.tif 000012
【図１２】
0005906072.tif 000013
【図１３】
0005906072.tif 000014